(57)【要約】【課題】被投写面に投写された画像の明るさを低下させずに色温度を補正することができる光源装置及び画像投写装置を提供する。【解決手段】光源４１と、前記光源からの光を反射するリフレクタ４２とを備えた光源装置４において、透過する光の波長帯域の下限波長が互いに異なる複数の透過領域４４ａ，４４ｂ，４４ｃを有する透明板４３と、前記複数の透過領域のうち、前記リフレクタの反射光を入射させる前記透過領域を選択する透過領域選択手段７０とを備える。【選択図】図１
2016200638.tif 000002
【特許請求の範囲】
【請求項１】
光源と、
前記光源からの光を反射するリフレクタとを備えた光源装置において、
透過する光の波長帯域の下限波長が互いに異なる複数の透過領域を有する透明板と、
前記複数の透過領域のうち、前記リフレクタの反射光を入射させる前記透過領域を選択する透過領域選択手段とを備えることを特徴とする光源装置。
【請求項２】
請求項１に記載の光源装置において、
前記透明板は防爆ガラスであることを特徴とする光源装置。
【請求項３】
請求項１または２に記載の光源装置において、
前記複数の透過領域は、一の透過領域と他の透過領域との間で、透過率が５０［％］となるカットオフ波長が１０［ｎｍ］以上異なることを特徴とする光源装置。
【請求項４】
請求項１乃至３のいずれか一記載の光源装置において、
前記透明板は、４５０［ｎｍ］以下の短波長帯域をフィルタする短波長フィルタ膜を備えており、
前記複数の透過領域は、透過領域ごとに前記短波長フィルタ膜の厚みが異なることにより形成されていることを特徴とする光源装置。
【請求項５】
請求項１乃至３のいずれか一記載の光源装置において、
前記透明板は、４５０［ｎｍ］以下の短波長帯域をフィルタする短波長フィルタ膜を備えており、
前記複数の透過領域は、透過領域ごとに前記短波長フィルタ膜を構成する構成成分の積層数が異なることにより形成されていることを特徴とする光源装置。
【請求項６】
請求項４または５に記載の光源装置において、
前記透明板は、光源側の面に前記短波長フィルタ膜と、光源側とは反対側の面に赤外線波長帯域をフィルタする赤外線フィルタ膜とを備えていることを特徴とする光源装置。
【請求項７】
請求項１乃至６のいずれか一記載の光源装置において、
前記透明板を移動させる透明板移動手段を有しており、
前記複数の透過領域は透明板上に横並びで配され、
前記透過領域選択手段は、前記透明板移動手段により前記透明板を直線的に移動させることで、前記リフレクタの反射光が入射する前記透過領域を選択することを特徴とする光源装置。
【請求項８】
請求項１乃至６のいずれか一記載の光源装置において、
前記透明板を移動させる透明板移動手段を有しており、
前記複数の透過領域は透明板上に周方向で配され、
前記透過領域選択手段は、前記透明板移動手段により前記透明板を周方向に移動させることで、前記リフレクタの反射光が入射する前記透過領域を選択することを特徴とする光源装置。
【請求項９】
請求項１乃至８のいずれか一記載の光源装置と、
入射光の出射を制御して画像を表示する表示素子と、
出射光を前記表示素子に入射させる光学系と、
前記表示素子からの出射光を投写面に投写する投写レンズとを備えたことを特徴とする画像投写装置。
【請求項１０】
請求項７または８に記載の光源装置と、
入射光の出射を制御して画像を表示する表示素子と、
出射光を前記表示素子に入射させる光学系と、
前記表示素子からの出射光を投写面に投写する投写レンズと、
前記透明板移動手段を制御する移動制御手段と、
前記投写面に投写された画像から色温度を検知する色温度検知手段とを備えており、
前記移動制御手段は、前記色温度検知手段の検知結果に基づいて前記透明板移動手段を制御することを特徴とする画像投写装置。
【発明の詳細な説明】
【技術分野】
【０００１】
本発明は、光源装置及び画像投写装置に関するものである。
【背景技術】
【０００２】
従来、パソコンやビデオカメラ等からの画像データを基に、光源から出射される光を用いて画像形成部により画像を形成し、その画像をスクリーンなどの被投写面に投写して表示する画像投写装置が知られている。
【０００３】
特許文献１に記載の画像投写装置においては、光源と、この光源からの光を反射するリフレクタとを備えており、リフレクタで反射した光源からの光を、色分解光学系の部品でＲ、Ｇ、Ｂの３色光に分解し、それぞれの色に対応させて設けた集光レンズで集光する。そして、その集光した各色の光を、それぞれの色に対応させて設けた液晶パネルで各色の画像光に変調し、その各色の画像光を色合成光学系の部品で合成して、その合成した画像光を投写レンズでスクリーンに投写する。
【０００４】
また、特許文献１に記載の画像投写装置においては、リフレクタで反射させた光源からの光を、ＮＤ（Ｎｅｕｔｒａｌ  Ｄｅｎｓｉｔｙ）フィルタによって減衰させることにより、光源の経時劣化による色温度の変化又は光源の品質のばらつきを補正している。
【発明の概要】
【発明が解決しようとする課題】
【０００５】
しかしながら、リフレクタで反射した光源からの光をＮＤフィルタで減衰させて色温度の補正を行うと、スクリーンなどの被投写面に投写した画像の明るさが、光の減衰に伴って低下してしまうといった問題が生じる。
【課題を解決するための手段】
【０００６】
上記課題を解決するために、本発明は、光源と、前記光源からの光を反射するリフレクタとを備えた光源装置において、透過する光の波長帯域の下限波長が互いに異なる複数の透過領域を有する透明板と、前記複数の透過領域のうち、前記リフレクタの反射光を入射させる前記透過領域を選択する透過領域選択手段とを備えることを特徴とする。
【発明の効果】
【０００７】
以上、本発明によれば、被投写面に投写された画像の明るさを低下させずに色温度を補正することができるという優れた効果がある。
【図面の簡単な説明】
【０００８】
【図１】本実施形態の特徴部である光源ユニットの模式図。
【図２】実施形態に係る画像投写装置であるプロジェクタの外観斜視図。
【図３】実施形態に係るプロジェクタの右側面図。
【図４】プロジェクタの外装カバーを外し、光学エンジンおよび光源ユニットの配置と構成を示した図。
【図５】照明ユニットと投写ユニットの断面図。
【図６】スクリーンへの投写状態を示すプロジェクタの断面図。
【図７】紫外線−可視光短波長フィルタの第１透過領域と第２透過領域と第３透過領域それぞれにおける波長と透過率との関係を示したグラフ。
【図８】紫外線−可視光短波長フィルタの第１透過領域と第２透過領域と第３透過領域それぞれにおけるカットオフ波長の説明に用いるグラフ。
【図９】透明板を直線的に移動させることで、リフレクタの反射光が入射する透過領域を選択する構成を示した図。
【図１０】移動機構による透明板の移動制御に係るブロック図。
【図１１】透明板を周方向に移動させることで、リフレクタの反射光が入射する透過領域を選択する構成を示した図。
【図１２】スクリーンに投写された画像の色温度を検知する色温度検知器を備えたプロジェクタ１を示す図。
【図１３】透明板の位置を選定する制御に係るフローチャート。
【発明を実施するための形態】
【０００９】
図２は、本実施形態に係る画像投写装置であるプロジェクタ１の外観斜視図である。図３は、本実施形態に係るプロジェクタ１の右側面図である。図２及び図３に示すように、プロジェクタ１の上面には、ユーザがプロジェクタ１を操作するための操作ボタン等の操作部１１が設けられている。また、スクリーン２に映し出されている投写画面を拡大したり、縮小したりするズームレバー１２が設けられている。プロジェクタ１の正面には、電源のオン／オフを行う電源スイッチ１３、パーソナルコンピュータやビデオカメラ等の外部機器と接続するための外部入力端子１４、投写画像の光を出射する投写レンズ１５、装置環境の照度を検出するセンサ１６が設けられている。プロジェクタ１における外装カバーの右側面には、冷却用の空気を取り入れる吸気口１７が設けられている。この吸気口１７から外気を吸気し、その吸引した外気を、熱源である光源や駆動基板へ移動させながら光源や駆動基板を冷却する。その後、排気ファンにより外装カバーに設けられた排気口から排気される。
【００１０】
プロジェクタ１は、パソコンやビデオカメラ等から入力される映像データを基に映像を生成し、その映像を図３に示すようにスクリーン２等に投写表示する画像投写装置である。画像投写装置として広く知られた液晶プロジェクタは、近来、液晶パネルの高解像化、光源ランプの高効率化に伴う明るさの改善、低価格化などが進んでいる。また、ＤＭＤ（Ｄｉｇｉｔａｌ  Ｍｉｃｒｏ−ｍｉｒｒｏｒ  Ｄｅｖｉｃｅ）素子を利用した小型軽量なプロジェクタ１が普及し、オフィスや学校のみならず家庭においても広くこれらプロジェクタ１が利用されるようになってきている。特に、フロントタイプのプロジェクタは携帯性が向上し、数人規模の小会議にも使われるようになってきている。
【００１１】
プロジェクタには、大画面の画像を投写できること（投写画面の大画面化）と共に「プロジェクタ外に必要とされる投写空間」をできるだけ小さくできることが要請されている。近年では光学エンジン３の性能が向上し、投写距離が１［ｍ］〜２［ｍ］で投写サイズが６０［ｉｎｃｈ］〜８０［ｉｎｃｈ］を達成できるプロジェクタ１が主流となってきている。従来の投写距離が長いプロジェクタ画像投写装置ではスクリーン２があり、会議机があり、会議机の後ろの方にプロジェクタを配置していたのが、近年では会議机の前側に配置し、会議机のプロジェクタの後ろ側の空間を自由に使用できるようになってきた。
【００１２】
図４はプロジェクタ１の外装カバーを外し、光学エンジン３および光源ユニット４の配置と構成を示した図である。本実施形態では光源ユニット４の光源として高圧水銀ランプを採用している。光源ユニット４からの光が光学エンジン３の照明ユニット３ａに照射される。照明ユニット３ａ内では照射された白色光をＲＧＢに分光し、画像表示素子ユニット１０へ導き、変調信号に応じて画像形成する画像表示素子ユニット１０とその画像を投写ユニット３ｂで拡大投写する構成である。
【００１３】
図５は照明ユニット３ａと投写ユニット３ｂの断面図であり、その構成の詳細を示した図である。光学エンジン３は、光源ユニット４からの白色光を円盤状のカラーホイール５で単位時間毎にＲＧＢの各色が繰り返す光に変換して出射される。板ガラスを張り合わせて筒状に構成されてカラーホイール５から出射する光を導くライトトンネル６と、２枚のレンズを組み合わせてライトトンネル６より出射される光の軸上色収差を補正しつつ集光するリレーレンズ７とが設けられている。また、リレーレンズ７より出射される光を反射する平面ミラー８及び凹面ミラー９によって、複数のマイクロミラーからなる略矩形のミラー面を有している。そして、映像データに基づいて各マイクロミラーが時分割駆動されることにより、所定の映像を形成するように投写光を加工して反射するＤＭＤ素子を備えた画像表示素子ユニット１０に集光させる構成である。
【００１４】
図６は、スクリーン２への投写状態を示すプロジェクタ１の断面図である。図６に示すように、プロジェクタ１に設けられた光学エンジン３の照明ユニット３ａを通過して投写ユニット３ｂを通過した光が、スクリーン２に投写されている。ＤＭＤ素子の働きにより時分割で映像データに基づいて複数のマイクロミラーが使用する光は、投写レンズへ反射し、捨てる光はＯＦＦ光板へ反射する。画像表示素子ユニット１０で使用する光は、投写ユニット３ｂへ反射し、複数の投写レンズを通り拡大された映像光はスクリーン２上へ拡大投写される。
【００１５】
図１は、本実施形態の特徴部である光源ユニット４の模式図である。光源ユニット４は、光源ランプ４１と、光源ランプ４１からの光を反射するリフレクタ４２と、リフレクタ４２の開放面の前側に配置した透明板４３などを備えている。透明板４３は、リフレクタ４２からの出射光に対して、紫外線−可視光短波長フィルタ機能と、赤外線フィルタ機能とをもっている。透明板４３の光源ランプ４１側の面には、紫外線−可視光短波長フィルタ４４が形成されており、透明板４３の紫外線−可視光短波長フィルタ４４が形成された側とは反対側の面には、赤外線フィルタ４５が形成されている。また、紫外線−可視光短波長フィルタ４４は、透過波長帯域が異なる３つ透過領域である第一透過領域４４ａと第二透過領域４４ｂと第三透過領域４４ｃとを有した構造となっている。なお、透明板４３は、光源ランプ４１の管球が破損した場合に、ガラス片が周辺に飛散するのを防止する防爆ガラスとしても機能する。
【００１６】
紫外線−可視光短波長フィルタ４４は、透明板４３上にＳｉＯ２→Ｎｂ２Ｏ５→ＳｉＯ２→Ｎｂ２Ｏ５・・・というように、Ｎｂ２Ｏ５とＳｉＯ２が交互に積層されて形成されている。なお、ＳｉＯ２は、接着剤のような役目を持っている。紫外線−可視光短波長フィルタ４４などの紫外線透過膜は、一般に２０層から４０層程度の積層数であり、この積層数を変化させることで透過波長帯域を変化させることができる。また、前記積層数は同じでも、Ｎｂ２Ｏ５の厚みを増やして膜厚を増やすことで、透過波長帯域を変化させることができる。この膜厚と透過波長とは、ほぼ比例関係にある。本実施形態においては、前記積層数は約４０層に固定で、第一透過領域４４ａの膜厚を約１２０［ｎｍ］、第二透過領域４４ｂの膜厚を約１３０［ｎｍ］、第三透過領域４４ｃの膜厚を約１４０［ｎｍ］としている。なお、紫外線−可視光短波長フィルタ４４の膜構成としては、上述したようなＮｂ２Ｏ５とＳｉＯ２とを積層したものが一般的であるが、ＴｉＯ２やタンタルを使用したものでも良い。
【００１７】
赤外線フィルタ４５は、紫外線―可視光短波長フィルタ４４が形成された透明板４３の光源ランプ４１側の面の反対面に膜状で形成されている。光源ランプ４１からの光に含まれる赤外波長帯域の光である赤外光が透明板４３を透過すると、赤外光の影響により透明板４３を透過した光が入射するライトトンネル６等の光学系や画像表示素子ユニット１０、投写ユニット３ｂの投写レンズ１５の過熱が発生するという問題が生じる。これに対して、透明板４３に赤外線フィルタ４５を備えることにより、光源ランプ４１からの光に含まれる赤外光をフィルタし、前述したような赤外光の影響による光学系、画像表示素子ユニット１０及び投写レンズ１５の過熱を抑制することができる。また、本実施形態の光源ユニット４においては、透明板４３の光源ランプ４１側の面に紫外線―可視光短波長フィルタ４４を形成し、その反対側の面に赤外線フィルタ４５を形成している。これにより、光源ランプ４１からの光に含まれる紫外線―可視光短波長帯域の光により赤外線フィルタ４５に膜ダメージが生じて、赤外線フィルタ４５が劣化することを防ぐことができる。
【００１８】
透明板４３を光路中に入れる場所としては、さまざまな波長の光が、使用する波長に調光されていない、光源ランプ４１の近くが望ましい。カラーホイール５等で調光された後に透明板４３をフィルタのような形で光路中に挿入すると、光線を減衰させてしまうおそれがあり、色純度の低下や、明るさ低下に影響を与えてしまう。また、フィルタを介して透明板４３に光を入射させた場合、色温度を変化させるために、緑（Ｇ）や赤（Ｒ）の色特性をカットすることで青（Ｂ）を強調する手法となる。そのため、カットされる各色の色純度は低下し、結果的に明るさや光学特性を犠牲にする方法となってしまう。
【００１９】
また、光源ランプ４１から光をカバーする領域は、光線束の領域をすべてカバーすることが望ましく、光源ランプ４１の近くに透明板４３を配置した場合は、光線分布が透明板４３の広域に分散されて膜ダメージが少なくなる。ところが、光源ランプ４１に対して透明板４３が近いために、光源ランプ４１の熱の影響を透明板４３が受けやすく、透明板４３が大きくなりスペースを必要とするなどの制約がある。そのため、光線束は小径になるが、できるだけ光源ランプ４１から離れた光源ランプ４１の熱の影響を受けにくい位置に、透明板４３を配置するのが望ましい。
【００２０】
図７は、紫外線−可視光短波長フィルタ４４の第１透過領域と第２透過領域と第３透過領域それぞれにおける波長と透過率との関係を示したグラフである。図７に示すように、透明板４３に設けられた紫外線−可視光短波長フィルタ４４の第一透過領域４４ａと第二透過領域４４ｂと第三透過領域４４ｃそれぞれは、４５０［ｎｍ］よりも大きい可視領域の透過波長が同じである。そして、透過する光の波長帯域の下限波長が互いに異なっており、透過率が５０［％］となるカットオフ波長が異なる分光特性を有している。詳しくは、図８に示すように、第一透過領域４４ａと第二透過領域４４ｂとで、透過率が５０［％］となるカットオフ波長が１０［ｎｍ］以上異なっている。すなわち、第一透過領域４４ａに対して第二透過領域４４ｂのほうが、透過率が５０［％］となるカットオフ波長が長波長側に１０［ｎｍ］以上シフトしている。また、第二透過領域４４ｂと第三透過領域４４ｃとで、透過率が５０［％］となるカットオフ波長が１０［ｎｍ］以上異なっている。すなわち、第二透過領域４４ｂに対して第三透過領域４４ｃのほうが、透過率が５０［％］となるカットオフ波長が長波長側に１０［ｎｍ］以上シフトしている。
【００２１】
また、図８に示すように、第１透過領域と第２透過領域と第３透過領域それぞれにおいて、透過率が５０［％］となるカットオフ波長が、少なくとも４０５［ｎｍ］以上４４５［ｎｍ］以下となるようにしている。ただし、４０５［ｎｍ］側は、光学系内部部品を紫外線にて劣化させる懸念があるので、透過率スペクトルは３９５［ｎｍ］で透過率１［％］以下になっている状態が望ましい。
【００２２】
透過率が５０［％］となるカットオフ波長時に１０［ｎｍ］違いで差となってでる色温度の理論値と、波長が４０５［ｎｍ］の時における色温度と、波長が４４５［ｎｍ］の時における色温度とを、表１に示す。
【００２３】
【表１】
2016200638.tif 000003
【００２４】
透過率波長域は、ＤＭＤ素子の規格より短波長側は３９５［ｎｍ］以下で２［ｍＷ／ｃｍ２］（Ｍａｘ）の規定をもとに、最短波長寄りの設定を最端としている。そして、透過率１０［％］〜９０［％］を２０［ｎｍ］以内で立ち上がる波形とし、カットオフ５０［％］で１０［ｎｍ］の変化をつけるように膜付を行う。
【００２５】
図９（ａ）は、透明板４３を直線的に移動させることで、リフレクタ４２の反射光が入射する透過領域を選択する構成を示した図である。図９（ｂ）は、透明板４３を直線的に移動させる移動機構２０の正面図である。図９（ａ）及び図９（ｂ）に示すように、透明板４３上には、第１透過領域と第２透過領域と第３透過領域それぞれが透明板長手方向で横並びに配置されており、移動機構２０によって透明板４３が移動可能となっている。透明板４３の移動方向は、透明板４３の長手方向への直線的な移動とし、リフレクタ４２で反射された光源ランプ４１からの光を遮るように、光源ランプ４１とライトトンネル６との間に透明板４３が挿入される。
【００２６】
移動機構２０は、駆動源たる駆動モータ２１と、その駆動モータ２１からの駆動力によって透明板長手方向にスライド可能であると共に透明板長手方向に長尺なスライドステージ２２とを有しており、透明板４３はスライドステージ２２上に取り付けられている。そして、駆動モータ２１からの駆動力によりスライドステージ２２をスライドさせ透明板４３の移動量や位置を制御する。これにより、第一透過領域４４ａと第二透過領域４４ｂと第三透過領域４４ｃのうち、どの透過領域にリフレクタ４２からの反射光を入射させるか選択可能となっている。
【００２７】
図１０は、移動機構２０による透明板４３の移動制御に係るブロック図である。透明板４３を移動させる判断基準は、プロジェクタ１からスクリーン２に投影された画像の色温度を、カメラや照度計などで構成される色温度検知器５０で検知した結果に基づいて、プロジェクタ１に設けられた制御部７０で透明板４３を移動させるか判断する。そして、色温度検知器５０の検知結果に基づいて制御部７０が、透明板４３を移動させると判断した場合に、制御部７０によってリフレクタ４２からの反射光を入射させる透過領域を第一透過領域４４ａと第二透過領域４４ｂと第三透過領域４４ｃとから選択する。そして、その選択した透過領域に前記反射光が入射するように、制御部７０で駆動モータ２１を制御して、駆動モータ２１の駆動力によりスライドステージ２２をスライドさせて透明板４３を移動させる。そして、透明板４３上の隣り合う透過領域の境界部分の位置をセンサなどによって検出し、その検出結果に基づいて狙いの透過領域にリフレクタ４２からの反射光が入射し得る所定位置まで透明板４３が移動したら、透明板４３の移動を停止する。
【００２８】
透明板４３の移動条件としては、光源ランプ４１の光軸に対して、透明板４３が所定角度を有した状態のまま光線を遮るように透明板４３を配置するのが好ましい。また、透明板４３可動範囲としては、リフレクタ４２で反射されライトトンネル６に向かう反射光の光路の有効領域が全て同じ透過領域に入るように動かす。
【００２９】
なお、透明板４３を直線的に移動させるための駆動手段としては、図９に示すような駆動モータ２１による電動方式に限るものではなく、作業者が手動で透明板４３を移動させても良い。この場合、透明板４３などにストッパやラッチに嵌る構造を設けて、透明板４３の移動量や位置を制御するようにすればよい。また、透明板４３を動かす判断基準は、人の目で投写された画像を見て色温度を判断してもよい。また、透明板４３を保持するガラスホルダに施した溝を移動端として、その溝が透明板４３の位置決めの判断となるストッパの役割を持つ構造とする。
【００３０】
図１１（ａ）は、透明板４３を周方向に移動させることで、リフレクタ４２の反射光が入射する透過領域を選択する構成を示した図である。図１１（ｂ）は、透明板４３を周方向に移動させる移動機構３０の概略構成図である。図１１（ｃ）は、第一透過領域４４ａと第二透過領域４４ｂと第三透過領域４４ｃそれぞれを、透明板４３上に周方向で並んで配置した状態を示す図である。
【００３１】
図１１（ａ）及び図１１（ｂ）に示すように、透明板４３を周方向に移動させる移動機構３０は、駆動モータ３１と回転軸３２と回転軸３３とポテンション３４と位置検知センサ３５とモータホルダ３６とで構成されている。駆動モータ３１はモータホルダ３６によって保持されており、駆動モータ軸線方向で一方側に回転軸３２が設けられ、他方側に回転軸３３が設けられており、回転軸３２と回転軸３３とは駆動モータ３１の駆動力により同期して回転する。回転軸３２は、駆動モータ３１からの駆動力によって透明板４３を回転可能なように支持している。回転軸３３は、駆動モータ３１からの駆動力によってポテンション３４を回転可能なように支持している。位置検知センサ３５は、ポテンション３４の位置を検知するものであり、ポテンション３４や位置検知センサ３５によって透明板４３の回転位置を検知する。
【００３２】
図１１（ｃ）に示すように透明板４３は、回転軸３２を中心に回転可能な透明な円状の回転板で構成されており、第一透過領域４４ａと第二透過領域４４ｂと第三透過領域４４ｃそれぞれを、透明板４３上に周方向で並んで配置する。そして、駆動モータ３１からの駆動力により回転軸３２を中心に透明板４３を回転させることで、第一透過領域４４ａと第二透過領域４４ｂと第三透過領域４４ｃのうち、どの透過領域にリフレクタ４２からの反射光を入射させるか選択可能となっている。
【００３３】
図１２は、透明板４３の位置を選定するために、スクリーン２に投写された画像の色温度を検知する色温度検知器５０を備えたプロジェクタ１を示している。図１２（ａ）に示すプロジェクタ１においては、プロジェクタ１の上面に色温度検知器５０を設けている。この色温度検知器５０とプロジェクタ１それぞれは、パーソナルコンピュータ６０に接続されている。そして、プロジェクタ１によりスクリーン２に投写された画像の色温度を色温度検知器５０によって検知し、その検知結果に基づいて透明板４３の位置を選定する。なお、図１２（ｂ）に示すように、色温度検知器５０をプロジェクタ１とは別体で設けても良い。
【００３４】
図１３は、透明板４３の位置を選定する制御に係るフローチャートを示す。まず、プロジェクタ１からスクリーン２に画像を投写する（Ｓ１）。次に、プロジェクタ１の上面に設けられた操作部１１の調整開始ボタンを押すことで（Ｓ２）、投写画像の色温度を検知する色温度検知器５０により、投写画像の色温度が検知される（Ｓ３）。そして、このように検知した色温度の情報に基づいて、透明板４３の位置を選択する制御部７０により透明板４３の位置を決める（Ｓ４）。
【００３５】
色温度は、紫外線に近い３８０［ｎｍ］〜４５０［ｎｍ］の短波長側の成分の寄与が大きく、色温度が高いほど短波長側の成分を多く含み青味を帯び、色温度が低いほど短波長側の成分が少なく赤味を帯びる。また、明るさは、紫外線−可視光短波長フィルタ４４ではカットしない領域の寄与が大きい。そのため、紫外線−可視光短波長フィルタ４４で紫外線に近い短波長側の領域のみを調整すれば、明るさを損なわずに色温度だけを調整することができる。そこで、本実施形態に係るプロジェクタ１においては、光源ランプ４１の防爆ガラスとして用いる透明板４３が、透過する光の波長帯域の下限波長が互いに異なる複数の透過領域（第一透過領域４４ａと第二透過領域４４ｂと第三透過領域４４ｃ）を有している。そして、どの透過領域にリフレクタ４２からの反射光を入射させるか、色温度検知器５０の検知結果などに基づいて制御部７０によって選択し、その選択された透過領域に前記反射光が入射するように、駆動手段からの駆動力によって透明板４３を移動させる。
【００３６】
例えば、リフレクタ４２の反射光が第二透過領域４４ｂに入射する位置に透明板４３が位置する状態で、色温度を高くしたいときには、短波長側の成分を第二透過領域４４ｂよりも多く透過させる第一透過領域４４ａを選択する。そして、第一透過領域４４ａに前記反射光が入射し得る位置まで透明板４３を移動させる。一方、色温度を低くしたいときには、短波長側の成分の透過が第二透過領域４４ｂよりも少ない第三透過領域４４ｃを選択する。そして、第三透過領域４４ｃに前記反射光が入射し得る位置に透明板４３を移動させる。これにより、リフレクタ４２で反射された光源ランプ４１からの光に含まれる明るさに関する成分を落とすことなく、色温度を補正することができる。よって、スクリーン２に投写された画像の明るさを低下させずに色温度を補正することができる。
【００３７】
また、同じ構成のプロジェクタであっても、フィルタや光学素子等の光路中に存在する部品の製品ロットごとのばらつきや部品組付けの誤差により、短波長側の透過特性にばらつきが生じ、スクリーン２での色温度差が発生してしまう。そのため、同じ構成のプロジェクタを２台並べて使う場合に、各プロジェクタからスクリーン２に投写した画像の一方が他方に比べて赤味または青味を強く帯びてしまい、各プロジェクタからスクリーン２に投写された画像に色温度差のばらつきが生じてしまう。これに対して、上述したようにしてスクリーン２に投写された画像の色温度の補正を行うことで、２台のプロジェクタ間での色温度のばらつきを低減させることができる。
【００３８】
以上に説明したものは一例であり、次の態様毎に特有の効果を奏する。
（態様Ａ）
光源ランプ４１などの光源と、前記光源からの光を反射するリフレクタ４２などのリフレクタとを備えた光源ユニット４などの光源装置において、透過する光の波長帯域の下限波長が互いに異なる複数の透過領域を有する透明板４３などの透明板と、前記複数の透過領域のうち、前記リフレクタの反射光を入射させる前記透過領域を選択する制御部７０などの透過領域選択手段とを備える。
スクリーンなどの被投写面に投写された画像の色温度は、紫外線に近い３８０［ｎｍ］〜４５０［ｎｍ］の短波長側の成分の寄与が大きく、色温度が高いほど短波長側の成分を多く含み青味を帯び、色温度が低いほど短波長側の成分が少なく赤味を帯びる。また、前記画像の明るさは、４５０［ｎｍ］よりも大きい可視領域の波長の成分の寄与が大きい。これらのため、前記反射光のうち紫外線に近い短波長側の成分のみを調整すれば、被投写面に投写された画像の明るさを低下させずに色温度を補正することができる。
（態様Ａ）においては、透過する光の波長帯域の下限波長を前記複数の透過領域で互いに異ならせることで、４５０［ｎｍ］よりも大きい可視領域の透過波長を前記複数の透過領域で同じにし、紫外線に近い短波長側の成分のみを調整することができる。色温度を高くしたいときには、前記複数の透過領域のうち短波長側の成分を多く透過させる透過領域を透過領域選択手段で選択し、その透過領域に前記反射光を入射させる。一方、色温度を低くしたいときには、前記複数の透過領域のうち短波長側の成分の透過が少ない透過領域を透過領域選択手段で選択し、その透過領域に前記反射光を入射させる。これにより、リフレクタで反射させた光源からの光に含まれる明るさに関する成分を落とすことなく、色温度に関する成分の量を変化させることができる。よって、被投写面に投写された画像の明るさを低下させずに色温度を補正することができる。
（態様Ｂ）
（態様Ａ）においては、前記透明板は防爆ガラスである。これによれば、上記実施形態について説明したように、部品点数を減らせる分、低コスト化や装置の小型化を図ることが可能となる。
（態様Ｃ）
（態様Ａ）または（態様Ｂ）において、前記複数の透過領域は、一の透過領域と他の透過領域との間で、透過率が５０［％］となるカットオフ波長が１０［ｎｍ］以上異なる。これによれば、上記実施形態について説明したように、透過領域の切り替えによって明るさを落とすことなく、色温度を補正し調整することができる。
（態様Ｄ）
（態様Ａ）乃至（態様Ｃ）のいずれかにおいて、前記透明板は、４５０［ｎｍ］以下の短波長帯域をフィルタする紫外線−可視光短波長フィルタ４４などの短波長フィルタ膜を備えており、前記複数の透過領域は、透過領域ごとに前記短波長フィルタ膜の厚みが異なることにより形成されている。これによれば、上記実施形態について説明したように、簡易な構成で透過波長帯域を変化させることができる。
（態様Ｅ）
（態様Ａ）乃至（態様Ｃ）のいずれかにおいて、前記透明板は、４５０［ｎｍ］以下の短波長帯域をフィルタする短波長フィルタ膜を備えており、前記複数の透過領域は、透過領域ごとに前記短波長フィルタ膜を構成する構成成分の積層数が異なることにより形成されている。これによれば、上記実施形態について説明したように、簡易な構成で透過波長帯域を変化させることができる。
（態様Ｆ）
（態様Ｄ）または（態様Ｅ）において、前記透明板は、光源側の面に前記短波長フィルタ膜と、光源側とは反対側の面に赤外線波長帯域をフィルタする赤外線フィルタ４５などの赤外線フィルタ膜とを備えている。これによれば、上記実施形態について説明したように、赤外線フィルタ膜により、光源からの光に含まれる赤外波長帯域の光をフィルタし、赤外波長帯域の光の影響による光学系、表示素子及び投写レンズの過熱を抑制することができる。さらに、前記透明板の光源側の面に短波長フィルタ膜を備え、光源側とは反対側の面に赤外線フィルタ膜を備えていることにより、光源からの光に含まれる短波長帯域の光によって赤外線フィルタ膜に劣化が生じることを防ぐことができる。
（態様Ｇ）
（態様Ａ）乃至（態様Ｆ）のいずれかにおいて、前記透明板を移動させる移動機構２０などの透明板移動手段を有しており、前記複数の透過領域は透明板上に横並びで配され、前記透過領域選択手段は、前記透明板移動手段により前記透明板を直線的に移動させることで、前記リフレクタの反射光が入射する前記透過領域を選択する。
これによれば、上記実施形態について説明したように、透明板移動手段により透明板を移動させて、前記リフレクタの反射光が入射する前記透過領域を選択することができる。
（態様Ｈ）
（態様Ａ）乃至（態様Ｆ）のいずれかにおいて、前記透明板を移動させる移動機構３０などの透明板移動手段を有しており、前記複数の透過領域は透明板上に周方向で配され、前記透過領域選択手段は、前記透明板移動手段により前記透明板を周方向に移動させることで、前記リフレクタの反射光が入射する前記透過領域を選択する。これによれば、上記実施形態について説明したように、透明板移動手段により透明板を移動させて、前記リフレクタの反射光が入射する前記透過領域を選択することができる。
（態様Ｉ）
画像投写装置において、（態様Ａ）乃至（態様Ｆ）のいずれかの光源装置と、入射光の出射を制御して画像を表示する表示素子と、出射光を前記表示素子に入射させる光学系と、前記表示素子からの出射光を投写面に投写する投写レンズとを備える。これによれば、上記実施形態について説明したように、光源に含まれる明るさに関する成分を落とすことなく、投写面に投写される画像の色温度を補正することができる。
（態様Ｊ）
プロジェクタ１などの画像投写装置において、（態様Ｇ）または（態様Ｈ）に記載の光源ユニット４などの光源装置と、入射光の出射を制御して画像を表示する表示素子と、出射光を前記表示素子に入射させる光学系と、前記表示素子からの出射光を投写面に投写する投写レンズ１５などの投写レンズと、前記透明板移動手段を制御する制御部７０などの移動制御手段と、前記投写面に投写された画像から色温度を検知する色温度検知器５０などの色温度検知手段とを備えており、前記移動制御手段は、前記色温度検知手段の検知結果に基づいて前記透明板移動手段を制御する。これによれば、上記実施形態について説明したように、投写面に投写される画像の色温度が、製品規格値に近い色温度の状態に近づくように、透明板移動手段によって透明板を移動させて、前記リフレクタの反射光が入射する前記透過領域を選択することができる。
【符号の説明】
【００３９】
１      プロジェクタ
２      スクリーン
３      光学エンジン
３ａ    照明ユニット
３ｂ    投写ユニット
４      光源ユニット
５      カラーホイール
６      ライトトンネル
７      リレーレンズ
８      平面ミラー
９      凹面ミラー
１０    画像表示素子ユニット
１１    操作部
１２    ズームレバー
１３    電源スイッチ
１４    外部入力端子
１５    投写レンズ
１６    センサ
１７    吸気口
２０    移動機構
２１    駆動モータ
２２    スライドステージ
３０    移動機構
３１    駆動モータ
３２    回転軸
３３    回転軸
３４    ポテンション
３５    位置検知センサ
３６    モータホルダ
４１    光源ランプ
４２    リフレクタ
４３    透明板
４４    可視光短波長フィルタ
４４ａ  第一透過領域
４４ｂ  第二透過領域
４４ｃ  第三透過領域
４５    赤外線フィルタ
５０    色温度検知器
６０    パーソナルコンピュータ
７０    制御部
【先行技術文献】
【特許文献】
【００４０】
【特許文献１】特開平７−３１８９２２号公報
【図１】
2016200638.tif 000004
【図２】
2016200638.tif 000005
【図３】
2016200638.tif 000006
【図４】
2016200638.tif 000007
【図５】
2016200638.tif 000008
【図６】
2016200638.tif 000009
【図７】
2016200638.tif 000010
【図８】
2016200638.tif 000011
【図９】
2016200638.tif 000012
【図１０】
2016200638.tif 000013
【図１１】
2016200638.tif 000014
【図１２】
2016200638.tif 000015
【図１３】
2016200638.tif 000016